(57)【特許請求の範囲】
【請求項１】
複数の基地局によりサービスされる複数のセルの中から、一つ以上の接続可能なセルを通信相手先セルとする移動体通信端末において、
前記セルの受信レベルを測定する受信レベル測定部と、
前記受信レベル測定部により測定された受信レベルに基づいて、前記セルを前記通信相手先セルとして判定するイベント判定部とを備え、
ＤＣＨによる通信開始直後における前記セルの受信レベルの瞬時値が、イベントの発生条件を満たす値であった場合、当該移動体通信端末は、前記セルを前記通信相手先セルとするためのイベント信号を送信し、
前記イベント信号を送信した場合又は前記瞬時値がイベントの発生条件を満たす値でなかった場合において、前記セルの受信レベルの時間平均値が、所定のトリガ時間の間イベントの発生条件を満たす値であった場合、当該移動体通信端末は、前記セルを前記通信相手先セルとするためのイベント信号を送信する、移動体通信端末。
【請求項２】
複数の基地局によりサービスされる複数のセルの中から、一つ以上の接続可能なセルを通信相手先セルとする移動体通信端末において、
前記セルの受信レベルを測定する受信レベル測定部と、
前記受信レベル測定部により測定された受信レベルに基づいて、発呼すべき待ち受けセルの再選択を行うセルリセレクション判定部とを備え、
ＦＡＣＨによる通信開始直後における前記セルの受信レベルの瞬時値が、所定のレベル以上であった場合、前記セルリセレクション判定部は、前記セルを前記通信相手先セルとして再選択し、発信シーケンスを再開し、
前記発信シーケンスを再開した場合又は前記瞬時値が前記所定のレベル以上でなかった場合において、前記セルの受信レベルの時間平均値が、前記所定のレベル以上であった場合、前記セルリセレクション判定部は、前記セルを前記通信相手先セルとして再選択し、ＤＣＨによる通信を開始する、移動体通信端末。
【発明の詳細な説明】
【技術分野】
【０００１】
この発明は、移動体通信端末に係り、特に高速移動時においてセルリセレクション及びハンドオーバを適切なタイミングで実施できる移動体通信端末に関するものである。
【背景技術】
【０００２】
従来の移動体通信システムとしては、例えば特許文献１に開示されるものがある。この特許文献１のシステムでは、移動体通信端末が、通信可能な基地局を所定の間隔でモニタリングし、このモニタリングにより選択された基地局の受信電界強度を基地局毎に時系列データとして記憶しておき、記憶しておいた受信電界強度の時系列データに基づいてモニタリングした基地局毎の受信電界強度の傾きを算出する。【０００３】
そして、特許文献１の移動体通信端末は、算出した基地局毎の受信電界強度の傾きと、記憶しておいた時系列データ中の基地局毎の最新の受信電界強度の値とに基づいて、モニタリングした基地局の中から最適な受信電界強度を得られる基地局を予測する。このように受信電界強度の経時変化を予測して待ち受け時における基地局を選択することで、特許文献１のシステムでは、通信時における通話品質を向上させることができる。【０００４】
ここで、一般的な移動体通信システムの発信及び通信時の動作について説明する。
従来の移動体通信端末は、発呼開始時に待ち受けセルをカバーする基地局（以降、待ち受けセルと略す）に対しＦＡＣＨ（Forward Access CHannel）オープンして受信電界強度を測定する。このとき、測定した受信電界強度からセルリセレクションが可能な基地局であれば、ＤＣＨ（Dedicated CHannel）がオープンされるまでセルリセレクションを行う。【０００５】
ＤＣＨがオープンした後、従来の移動体通信端末は、当該基地局について受信電界強度を測定してイベント判定する。ここで、基地局間のハンドオーバを制御する制御局から指定されたトリガ時間（Time To Trigger）（ミリ秒）だけイベントの発生条件を満たした受信電界強度であれば、当該基地局へハンドオーバするための周辺セルサーチ結果である「Measurement Report」を制御局に送信する。【０００６】
上述した手順での動作をＤＣＨがクローズされるまで行う。なお、従来のセルリセレクション及びイベント判定に使用する受信電界強度は、瞬時値ではなく、一定時間内の時間平均による平滑化を行った値を用いている。【０００７】
【特許文献１】特開平１１−１３６７３８号公報
【０００８】
図１４に示すように、基地局ＢＴＳ１，ＢＴＳ２のセルエッジでは受信電界強度が弱電界となる。また、このセルエッジでは、基地局ＢＴＳ１，ＢＴＳ２の双方と通信可能になる区間が存在し、移動体通信端末がこの区間に入るとハンドオーバを行い通信の継続が行なわれる。【０００９】
このような移動体通信システムにおいて、移動体通信端末は時間経過とともに移動しているため、発信時において待ち受け時に選択した基地局と実際に通信を行う基地局とが同じ位置とは限らず、実際の通信を行う時には必ずしも最良の基地局が選択されている保証がない。【００１０】
同様に通信中においても、ハンドオーバの手続き中にハンドオーバ元のセルの受信電界強度が劣化してしまい、通信が切れてしまうという課題があった。特に、高速移動時ではセルエッジにおいて受信電界強度が急激に劣化することがある。この場合、静止・低速移動時（図１５（ａ）参照）に比べて高速移動時（図１５（ｂ）参照）においてはセルリセレクションやハンドオーバが可能な時間が短くなり、セルリセレクションやハンドオーバに失敗し、発信率の低下や受信品質の劣化等が発生する可能性がある。【００１１】
上述したような高速移動時における通信中の不具合は、待ち受け時、つまり非通信中のセルについての受信電界強度の時間変化量を用いて基地局を選択する特許文献１のようなシステムでは対応することができない。【００１２】
この発明は、上記のような課題を解決するためになされたもので、高速移動時においてセルリセレクション及びハンドオーバを適切なタイミングで実施して発信率及び通信品質を向上できる移動体通信端末を得ることを目的とする。
【発明の開示】
【００１３】
一実施例による移動通信端末は、
複数の基地局によりサービスされる複数のセルの中から、一つ以上の接続可能なセルを通信相手先セルとする移動体通信端末において、
前記セルの受信レベルを測定する受信レベル測定部と、
前記受信レベル測定部により測定された受信レベルに基づいて、前記セルを前記通信相手先セルとして判定するイベント判定部とを備え、
ＤＣＨによる通信開始直後における前記セルの受信レベルの瞬時値が、イベントの発生条件を満たす値であった場合、当該移動体通信端末は、前記セルを前記通信相手先セルとするためのイベント信号を送信し、
前記イベント信号を送信した場合又は前記瞬時値がイベントの発生条件を満たす値でなかった場合において、前記セルの受信レベルの時間平均値が、所定のトリガ時間の間イベントの発生条件を満たす値であった場合、当該移動体通信端末は、前記セルを前記通信相手先セルとするためのイベント信号を送信する、移動体通信端末である。
【００１４】
このことによって、イベント判定部が、通信を開始するにあたり、基地局から自端末への通信を制御するためのチャネル開設時における受信レベルの瞬時値に基づいて、セルの無線リンクへの追加、削除又は入れ替えを判定するので、高速移動時においてもハンドオーバを適切なタイミングで実施して通信品質を向上できるという効果がある。
【図面の簡単な説明】
【００１５】
【図１】この発明の実施の形態１による移動体通信端末の構成を示すブロック図である。
【図２】待ち受けセルとモニタセルとにおける受信電界強度の時間変化を示すグラフである。
【図３】実施の形態１による移動体通信端末の発呼開始から通信終了に至るまでの動作を示すフローチャートである。
【図４】待ち受けセルとモニタセルとにおける受信電界強度の時間変化を示すグラフである。
【図５】実施の形態２による移動体通信端末の発呼開始から通信終了に至るまでの動作を示すフローチャートである。
【図６】実施の形態３による移動体通信端末のＤＣＨオープンから通信終了に至るまでの動作を示すフローチャートである。
【図７】通信中セルとモニタセルとにおける受信電界強度の時間変化を示すグラフである。
【図８】この発明の実施の形態４による移動体通信端末のＤＣＨオープンから通信終了に至るまでの動作を示すフローチャートである。
【図９】この発明の実施の形態５による移動体通信端末のＤＣＨオープンから通信終了に至るまでの動作を示すフローチャートである。
【図１０】この発明の実施の形態６による移動体通信端末のＤＣＨオープンから通信終了に至るまでの動作を示すフローチャートである。
【図１１】この発明の実施の形態７による移動体通信端末のＤＣＨオープンから通信終了に至るまでの動作を示すフローチャートである。
【図１２】この発明の実施の形態８による移動体通信端末のＤＣＨオープンから通信終了に至るまでの動作を示すフローチャートである。
【図１３】この発明の実施の形態９による移動体通信端末のＤＣＨオープンから通信終了に至るまでの動作を示すフローチャートである。
【図１４】ハンドオーバのイメージ図である。
【図１５】静止、低速移動時と高速移動時におけるハンドオーバの可能区間を示すグラフである。
【発明を実施するための最良の形態】
【００１６】
以下、この発明をより詳細に説明するために、この発明を実施するための最良の形態について、添付の図面に従って説明する。
実施の形態１．
図１は、この発明の実施の形態１による移動体通信端末の構成を示すブロック図である。本発明の移動体通信端末１は、ＲＦ部３及びモデム部４を含んで構成される。ＲＦ部３は、アンテナ２で受信した信号を増幅し周波数変換して復調部１４に復調用信号を出力したり、変調部１５からの変調信号を増幅し周波数変換してアンテナ２に出力する。モデム部４は、移動体通信端末１における不図示のオペレーションシステムにより管理、制御されるソフトウエア構成を有し、レイヤ１（物理層）の処理モジュール、レイヤ２（データリンク層）の処理モジュール及びレイヤ３（ネットワーク層）の処理モジュールから構成される。【００１７】
レイヤ１の処理モジュールにより無線制御部５が形成される。また、無線制御部５は、イベント１ｘ判定部（イベント判定部）６、時間変化量判定部７、セルリセレクション判定部８、接近速度測定部（速度測定部）９、周波数偏差測定部１０、ドップラーシフト測定部１１、受信電界強度測定部（受信レベル測定部）１２、上り送信電力コマンド判定部（コマンド判定部）１３、復調部１４及び変調部１５を含んで構成される。なお、これらの構成部は、通信機能を有するコンピュータである移動体通信端末１のプロセッサに実行される処理プログラムの各処理モジュールをその機能に応じて便宜的に分類したものである。【００１８】
イベント１ｘ判定部６は、受信電界強度、周波数偏差、ドップラーシフトの各情報又はこれらの組み合わせた条件に基づいて通信中のハンドオーバ先のセルを検出するためのイベント判定を行う。時間変化量判定部７は、受信電界強度の時間変化量を測定し、測定した時間変化量に基づいてイベント１ｘが必要であるか否かを判定する。セルリセレクション判定部８は、受信電界強度に応じてセルリセレクション判定を行う。【００１９】
接近速度測定部９は、移動体通信端末の速度をｖとし、移動体通信端末と基地局とが結ぶ直線と移動体通信端末の移動方向とがなす角をθとした場合に｜ｖ｜ｃｏｓθで表される基地局への接近速度を算出する。周波数偏差測定部１０は、無線リンク（Radio Link）に追加した基地局と自端末との周波数偏差を測定する。ドップラーシフト測定部１１は、基地局からの下り信号のドップラーシフトを測定する。【００２０】
受信電界強度測定部１２は、受信電界強度（Ｅｃ／Ｉｏ）、希望波受信電力（ＲＳＣＰ：Received Signal Code Power）、パスロスを測定する。上り送信電力コマンド判定部１３は、上り送信電力コマンド累積値を保持し、累積値に応じて無線リンクの削除対象となる基地局を判定する。復調部１４は、ＲＦ部３から入力したアンテナ２の受信信号を復調し、復調信号として周波数偏差測定部１０、ドップラーシフト測定部１１、受信電界強度測定部１２及び上り送信電力コマンド判定部１３に出力する。変調部１５は、上り送信電力コマンド判定部１３からの上り送信電力コマンドを入力して変調し、変調信号としてＲＦ部３に出力する。【００２１】
なお、以降の説明において、特に基地局と「セル」との関係が明記されていない場合には、当該セルをカバーする基地局を含めて「セル」と称することとする。また、後述するネットワークとは、本発明の移動体通信端末１と無線通信を介して通信接続する外部ネットワークであり、Ｗ−ＣＤＭＡ方式の基地局間のハンドオーバを制御する制御局が接続しているものとする。この制御局は、移動体通信端末１から報告される「Measurement Report」に応じて当該端末１のハンドオーバを制御する。【００２２】
また、説明の簡単のため、図１は本発明における特有な構成を全て記載しているが、本実施の形態１は、従来の移動体通信端末に対して、ＤＣＨオープン直後における受信電界強度の瞬時値を測定する受信電界強度測定部１２、この瞬時値を用いてイベント判定するイベント１ｘ判定部６のみを追加した構成であってもよい。【００２３】
次に動作について説明する。
図２は待ち受けセルとモニタセルとの受信電界強度の時間変化を示すグラフであり、図３は実施の形態１による移動体通信端末の発呼開始から通信終了に至るまでの動作を示すフローチャートである。以降では図１から図３までを適宜用いて動作を説明する。【００２４】
先ず、移動体通信端末１は、発呼開始時に待ち受けセル（Serving Cell）に対して、制御情報用ＤＬ共通チャネルであるＦＡＣＨ（Forward Access CHannel）をオープンし（ステップＳＴ１）、受信電界強度測定部１２が、アンテナ２及び復調部１４を介して待ち受けセル及びモニタセルから受信した信号の受信電界強度を測定する（ステップＳＴ２）。ここまでの過程が図２中の通信シーケンス開始に相当する。測定された受信電界強度は、セルリセレクション判定部８に出力される。【００２５】
セルリセレクション判定部８は、受信電界強度測定部１２から入力した受信電界強度に基づいてモニタセルを評価してセルリセレクション判定を行う（ステップＳＴ３）。このとき、待ち受けセルより受信レベルが高く、図２中に示したような「受信エラーが発生しない受信レベル」を有する適切なモニタセルであれば、ステップＳＴ４に移行して当該セルを待ち受けセルとしてセルリセレクションし、適切なセルでなければステップＳＴ５の処理に移行する。【００２６】
ステップＳＴ５において、移動体通信端末１は、ユーザ情報や制御情報転送用のチャネルであるＤＣＨ（Dedicated CHannel）がオープンされるまで、ステップＳＴ３以降のセルリセレクション判定処理を繰り返し実行する。ここまでの過程が図２におけるＦＡＣＨと記した矢印で示す期間に相当する。【００２７】
ＤＣＨがオープンすると（図２中のＤＣＨと記した矢印で示す期間の始めの時点）、移動体通信端末１の受信電界強度測定部１２は、アンテナ２及び復調部１４を介して通信中のセルから受信した下り信号の受信電界強度を測定する。このとき、受信電界強度測定部１２は、一定時間内の時間平均による平滑化を行った値ではなく、ＤＣＨオープン直後の受信電界強度の瞬時値を測定し、イベント１ｘ判定部６に出力する。受信電界強度の瞬時値とは、ＤＣＨオープン直後（０ミリ秒）での受信電界強度をいう。【００２８】
イベント１ｘ判定部６では、通常のイベント判定とは異なるパラメータセット、例えばＤＣＨオープン直後の受信電界強度の瞬時値を用い、ＤＣＨオープンからイベント判定のトリガ時間（Time To Trigger）が０ミリ秒の条件で、セルを無線リンクの追加対象と対象とするイベント１Ａの判定を行う（ステップＳＴ６）。これにより、ＤＣＨオープン直後に通信中のセルの受信電界強度が急激に劣化する場合であっても受信品質が劣化する前のタイミングでハンドオーバすることができる。【００２９】
なお、通常のイベント判定とは、３ＧＰＰ（3rd Generation Partnership Project）に規定される制御であり、通信中の移動体通信端末１の移動に伴う最適な移行先（ハンドオーバ先）セルを検知するための処理である。また、通常のイベント判定におけるパラメータセットは、最適な移行先セルを検出するための条件であり、例えばモニタセルを無線リンクに追加、削除又は入れ替えする際の判定時間であるイベント判定保護時間等が含まれる。【００３０】
本実施の形態１によるＤＣＨオープン時におけるイベント判定では、受信電界強度の瞬時値に応じて、例えば上述した通常のイベント判定より短い判定保護時間で低い判定閾値（イベント判定を開始する受信電界強度の閾値）を設定する。つまり、本実施の形態１では、高速移動中の移動体通信端末１を考慮して、ＤＣＨオープン直後におけるイベント判定を短くして、可能な限り早く次のセルについてのイベント判定に移行させるパラメータを設定する。【００３１】
この判定で最適な移行先セルを検出した旨のイベントが発生すれば、イベント１ｘ判定部６は、ネットワーク（ネットワークに接続する制御局）に対して当該セルをハンドオーバ先とするための（無線リンクの追加対象とする旨の）「Measurement Report（イベント１Ａ）」を、ＲＦ部３及びアンテナ２を介してレイヤ３メッセージとしてネットワーク側に送信する（ステップＳＴ７）。【００３２】
上述のように、ＤＣＨオープン直後のイベント判定に受信電界強度の瞬時値を用いることにより、高速移動時や多数のセルが存在する場合の急峻な受信レベルの変動に対応させることが可能となる。つまり、待ち受けセルの急激な受信レベル変動に対応可能なパラメータセットを用いることにより、図１５（ｂ）に示したような高速移動時におけるその急激な受信レベル低下に対しても応答性を早めることができる。【００３３】
「Measurement Report（イベント１Ａ）」送信後、又は「Measurement Report（イベント１Ａ）」送信がなかった場合、通常のＤＣＨオープン時の動作に移行する。つまり、移動体通信端末１の受信電界強度測定部１２は、従来と同様に、上記セルについて受信電界強度（一定時間内の時間平均による平滑化を行った値）を測定（ステップＳＴ８）して、イベント１ｘ判定部６に出力する。【００３４】
イベント１ｘ判定部６は、通常のイベント判定と同様に、３ＧＰＰに従いネットワーク側から指定されたトリガ時間（Time To Trigger）（ｍｓ）の間、モニタセルの受信電界強度がイベントの発生条件を満たすか否かによってイベント１Ａを判定する（ステップＳＴ９）。このとき、上記セルの受信電界強度が上記条件を満たせば、当該セルを無線リンク（Radio Link:RL）の追加対象とする周辺セルサーチ結果である「Measurement Report（イベント１Ａ）」をネットワーク側に送信する（ステップＳＴ１０）。【００３５】
「Measurement Report（イベント１Ａ）」送信後、又は「Measurement Report（イベント１Ａ）」送信がなかった場合、イベント１ｘ判定部６は、上記と同様に、ネットワーク側から指定されたトリガ時間（Time To Trigger）（ミリ秒）の間、イベント１Ｂの発生条件を満たす受信電界強度のセルがあるか否かによってイベント１Ｂを判定する（ステップＳＴ１１）。このとき、受信電界強度が上記イベント１Ｂの発生条件を満たすセルがある場合は、当該セルを無線リンクからの削除対象とする周辺セルサーチ結果である「Measurement Report（イベント１Ｂ）」をネットワーク側に送信する（ステップＳＴ１２）。【００３６】
さらに、「Measurement Report（イベント１Ｂ）」送信後、又は「Measurement Report（イベント１Ｂ）」送信がなかった場合、イベント１ｘ判定部６は、上記と同様に、ネットワーク側から指定されたトリガ時間（Time To Trigger）（ミリ秒）の間、イベント１Ｃの発生条件を満たす受信電界強度のセルがあるか否かによってイベント１Ｃを判定する（ステップＳＴ１３）。このとき、受信電界強度が上記イベント１Ｃの発生条件を満たすセルがあれば、当該セルを無線リンクへの入れ替え対象とする周辺セルサーチ結果である「Measurement Report（イベント１Ｃ）」をネットワーク側に送信する（ステップＳＴ１４）。【００３７】
上述したステップＳＴ８からステップＳＴ１４までの動作は、ＤＣＨがクローズされるまで行われる。ＤＣＨがクローズされると（ステップＳＴ１５）、通信中のセルとの通信が終了する。【００３８】
以上のように、この実施の形態１によれば、従来のハンドオーバのイベント判定に加えて、ＤＣＨオープン時において通常のイベント判定とは異なる、ＤＣＨオープン直後の受信電界強度の瞬時値、これに応じた判定保護時間や判定閾値を含むパラメータセットを用いてイベント判定を行う。これにより、ＤＣＨオープン直後に受信電界強度が急激に劣化する場合でも、受信品質が劣化する前に適切なタイミングでハンドオーバを行うことが可能になることから、発信の成功率を高め、通信品質の向上を図ることができる。【００３９】
実施の形態２．
本実施の形態２は、ＦＡＣＨオープン直後に受信電界強度の瞬時値を用いてセルリセレクション判定行い、セルリセレクションが可能であれば、発信シーケンスを止めてセルリセレクションを行い、セルリセレクションの完了後に発信シーケンスを継続するものである。【００４０】
実施の形態２による移動体通信端末の基本的な構成は、上記実施の形態１の図１に示したものと同一であるが、セルリセレクション判定部８及び受信電界強度測定部１２によりＦＡＣＨオープン直後に受信電界強度の瞬時値を用いたセルリセレクション判定が行われる点で異なる。なお、説明の簡単のため、図１は本発明における特有な構成を全て記載しているが、本実施の形態２は、従来の移動体通信端末に対して、上述のように機能する受信電界強度測定部１２及びセルリセレクション判定部８のみを追加した構成であってもよい。【００４１】
次に動作について説明する。
図４は待ち受けセルとモニタセルの受信電界強度の時間変化を示すグラフであり、図５は実施の形態２による移動体通信端末の発呼開始から通信終了に至るまでの動作を示すフローチャートである。以降では図１、図４及び図５を適宜用いて動作を説明する。【００４２】
先ず、移動体通信端末１は、発呼開始時に待ち受けセルに対しＦＡＣＨをオープンする（ステップＳＴ１ａ）。受信電界強度測定部１２は、アンテナ２及び復調部１４を介して待ち受けセル及びモニタセルから受信した信号の受信電界強度を測定する（ステップＳＴ２ａ）。このとき、ＦＡＣＨオープン直後の受信電界強度の瞬時値を測定する。なお、受信電界強度の瞬時値とは、ＦＡＣＨオープン直後、最初の制御情報用ＵＬ共通チャネルであるＲＡＣＨ（Random Access CHannel）の信号を送出するまでの期間内（およそ１００ミリ秒未満の期間）の受信電界強度である。受信電界強度測定部１２により測定された受信電界強度の瞬時値は、セルリセレクション判定部８に出力される。【００４３】
セルリセレクション判定部８では、受信電界強度測定部１２から入力した受信電界強度の瞬時値に基づいてモニタセルを評価してセルリセレクション判定（ＣＲ判定）を行う（ステップＳＴ３ａ）。このとき、待ち受けセルより受信レベルが高く、図４中に示したような「受信エラーが発生しない受信レベル」を有する適切なモニタセルであれば、発信シーケンスを一旦停止して（ステップＳＴ４ａ）、当該適切なセルを待ち受けセルとしてセルリセレクションし（ステップＳＴ５ａ）、発信シーケンスを再開する（ステップＳＴ６ａ）。【００４４】
このように、ＦＡＣＨオープン直後に待ち受けセルより受信電界強度が良いモニタセルが存在する場合、ＦＡＣＨオープンのコマンドをトリガとして即時にセルリセレクションを行うことにより、待ち受け中の受信電界強度の測定周期が長く、ＦＡＣＨオープン時に受信電界強度が最良でないセルでの発呼となることを防止し、直近のセルレベルを使用してセルリセレクションの判定を行うことが可能となる。また、セルリセレクション判定に受信電界強度として瞬時値を用いることにより、高速移動時や多数のセルが存在する場合の急速な受信レベルの変動に対応することが可能となる。【００４５】
一方、受信電界強度測定部１２は、ステップＳＴ３ａにおいてセルリセレクションなしと判定された場合又はステップＳＴ５ａでセルリセレクションしてステップＳＴ６ａで発信シーケンスを再開した後、待ち受けセル及びモニタセルについて受信電界強度を測定する（ステップＳＴ７ａ）。ここでは、３ＧＰＰに規定される通常のセルリセレクション判定と同様に、受信電界強度として一定時間内の時間平均による平滑化を行った値を測定して、セルリセレクション判定部８に出力する。【００４６】
セルリセレクション判定部８では、受信電界強度測定部１２から入力した受信電界強度に基づいてモニタセルを評価してセルリセレクション判定を行う（ステップＳＴ８ａ）。このとき、待ち受けセルより受信レベルが高く、図４中に示したような「受信エラーが発生しない受信レベル」を有する適切なモニタセルであれば、ステップＳＴ９ａに移行して当該セルを待ち受けセルとしてセルリセレクションし、適切なセルでなければステップＳＴ１０ａの処理に移行する。【００４７】
ステップＳＴ１０ａにおいて、移動体通信端末１は、ユーザ情報や制御情報転送用のチャネルであるＤＣＨ（Dedicated CHannel）がオープンされるまで、ステップＳＴ７ａからステップＳＴ９ａまでのセルリセレクション判定処理を繰り返し実行する。ここまでの過程が図４におけるＦＡＣＨと記した矢印で示す期間（通信シーケンス開始からＤＣＨオープンまでの期間）に相当する。【００４８】
ＤＣＨがオープンすると、受信電界強度測定部１２は、アンテナ２及び復調部１４を介して通信中セルから受信した下り信号の受信電界強度を測定（ステップＳＴ１１ａ）して、イベント１ｘ判定部６に出力する。この受信電界強度は、３ＧＰＰに規定される通常のＤＣＨオープン後の処理と同様に一定時間内の時間平均による平滑化を行った値を測定する。【００４９】
イベント１ｘ判定部６では、３ＧＰＰに規定される通常のイベント判定と同様に、ネットワーク側から指定されたトリガ時間（Time To Trigger）（ミリ秒）だけ受信電界強度が上記イベント１Ａの発生条件を満たすか否かによってイベント１Ａを判定する（ステップＳＴ１２ａ）。このとき、モニタセルの受信電界強度が上記条件を満たせば、当該セルを無線リンクの追加対象とする周辺セルサーチ結果である「Measurement Report（イベント１Ａ）」をネットワーク側に送信する（ステップＳＴ１３ａ）。【００５０】
以降、上記実施の形態１と同様に、ＤＣＨがクローズされるまで、上記イベント１Ａ、無線リンクの削除及び無線リンクへの入れ替えに関するイベント１Ｂ及びイベント１Ｃの判定について、ステップＳＴ１１ａからステップＳＴ１７ａまでの処理が繰り返し行われる。ＤＣＨがクローズされると（ステップＳＴ１８ａ）、上述のようにして通信中のセルとの通信が終了する。【００５１】
なお、セルリセレクションはＦＡＣＨ区間でしか行えないが、従来ではセルリセレクションが完了する前に発信のシーケンスが進み、ＦＡＣＨがクローズされＤＣＨがオープンされてしまうことがあった。そこで、本実施の形態２では、セルリセレクション中はＦＡＣＨ区間における発信シーケンスを停止してセルリセレクションを優先的に行うことで、受信品質の良好なセルでの発信を行うことができる。【００５２】
以上のように、この実施の形態２によれば、ＦＡＣＨのオープン直後の受信電界強度の瞬時値を用い、ＦＡＣＨオープン時に待ち受けセルより受信電界強度が良いモニタセルが存在する場合、ＦＡＣＨオープンのコマンドをトリガとして即時にセルリセレクションを行うので、発信シーケンス開始時において待ち受けセルの受信電界強度が劣化することにより発信シーケンスが滞って発信失敗となることを抑制できる。これにより、受信電界強度が悪い状態での発呼を回避することが可能となり、発信率を向上させることができる。【００５３】
実施の形態３．
本実施の形態３は、ＤＣＨオープン後にモニタセルの受信電界強度の時間変化量を算出し、この時間変化量をイベント報告の指標とするものである。【００５４】
実施の形態３による移動体通信端末の基本的な構成は、上記実施の形態１の図１に示したものと同一であるが、時間変化量判定部７及びイベント１ｘ判定部６によりＤＣＨオープン後に受信電界強度の時間変化量を用いたイベント判定が行われる点で異なる。なお、説明の簡単のため、図１は本発明における特有な構成を全て記載しているが、従来の移動体通信端末に対してＤＣＨオープン後の受信電界強度測定の前に受信電界強度の時間変化量を算出する時間変化量判定部７及びこの時間変化量を用いてイベント判定するイベント１ｘ判定部６を追加した構成であってもよい。【００５５】
次に動作について説明する。
図６は実施の形態３による移動体通信端末のＤＣＨオープンから通信終了に至るまでの動作を示すフローチャートであり、図７は通信中セルとモニタセルとにおける受信電界強度の時間変化を示すグラフであり、図７（ａ）が従来の移動体通信システムの場合を示し、図７（ｂ）は本実施の形態３による場合を示している。以降では、図１、図６及び図７を適宜用いて動作を説明する。【００５６】
ＤＣＨがオープン（ステップＳＴ１ｂ）して通信状態に移行すると、受信電界強度測定部１２は、アンテナ２及び復調部１４を介してモニタセルから受信した信号の受信電界強度を測定し、時間変化量判定部７に出力する。時間変化量判定部７は、受信電界強度測定部１２から入力されるモニタセルの受信電界強度の時間変化量を算出し、算出結果が受信電界強度の時間変化量に関する閾値を超えたか否かを判定する。ここで、閾値を超えた場合又は超えなかった場合、その旨がイベント１ｘ判定部６にそれぞれ通知される。【００５７】
ステップＳＴ２ｂにおいて、イベント１ｘ判定部６では、時間変化量判定部７から閾値を超えた旨の通知を受けると、ステップＳＴ３ｂに移行して当該モニタセルを無線リンクに追加する、若しくは当該モニタセルを無線リンクに入れ替える旨のイベント（イベント１Ａ／１Ｃあり）をネットワーク側に送信（イベント１Ａ／１Ｃ）する。また、ステップＳＴ２ｂにおいて閾値を超えない旨の通知を受けると、イベント１ｘ判定部６は、イベント報告を行わず、受信電界強度測定部１２からの受信電界強度の入力待ち状態に移行する。このとき、受信電界強度測定部１２は、通常の通信中の動作と同様に、従来と同様に通信中セル及びモニタセルについて受信電界強度（一定時間内の時間平均による平滑化を行った値）を測定（ステップＳＴ４ｂ）して、イベント１ｘ判定部６に出力する。【００５８】
イベント１ｘ判定部６は、通常のイベント判定と同様に、ネットワーク側から指定されたトリガ時間（Time To Trigger）（ミリ秒）の間、イベントの発生条件を満たす受信電界強度のセルがあるか否かによってイベント１Ａを判定する（ステップＳＴ５ｂ）。このとき、受信電界強度が上記条件を満たすセルがあれば、当該セルを無線リンクの追加対象とする周辺セルサーチ結果である「Measurement Report（イベント１Ａ）」をネットワーク側に送信する（ステップＳＴ６ｂ）。【００５９】
「Measurement Report（イベント１Ａ）」送信後、又は「Measurement Report（イベント１Ａ）」送信がなかった場合、イベント１ｘ判定部６は、上記と同様に、ネットワーク側から指定されたトリガ時間（Time To Trigger）（ミリ秒）の間、イベント１Ｂの発生条件を満たす受信電界強度のセルがあるか否かによってイベント１Ｂを判定する（ステップＳＴ７ｂ）。このとき、受信電界強度が上記条件を満たすセルがあれば、当該セルを無線リンクからの削除対象とする周辺セルサーチ結果である「Measurement Report」をネットワーク側に送信（イベント１Ｂ）する（ステップＳＴ８ｂ）。【００６０】
さらに、「Measurement Report（イベント１Ｂ）」送信後、又は「Measurement Report（イベント１Ｂ）」送信がなかった場合、イベント１ｘ判定部６は、上記と同様に、ネットワーク側から指定されたトリガ時間（Time To Trigger）（ミリ秒）の間、イベント１Ｃの発生条件を満たす受信電界強度のセルがあるか否かによってイベント１Ｃを判定する（ステップＳＴ９ｂ）。このとき、受信電界強度が上記イベント１Ｃの発生条件を満たすセルがあれば、上記条件を満たすセルを無線リンクへの入れ替え対象とする周辺セルサーチ結果である「Measurement Report」をネットワーク側に送信（イベント１Ｃ）する（ステップＳＴ１０ｂ）。【００６１】
上述した動作はＤＣＨがクローズされるまで行われる（ステップＳＴ１１ｂ）。ＤＣＨがクローズされると通信が終了する。このように、本実施の形態３では、通信状態時に、常にモニタセルの受信電界強度の時間変化量を算出し、受信電界強度の時間変化量が閾値を越えた場合に、無線リンクの追加もしくは無線リンクの入れ替えのイベント報告を行い、イベント報告実施後及びイベント報告がなかった場合は通常の通信中時の動作に移行する。【００６２】
図７（ａ）に示すように、従来のイベント報告では、モニタセルの受信電界強度（Ｅｃ／Ｉｏ）が、通信中セルからの受信電界強度の報告範囲（Reporting Range）（ｄＢ）（図中、記号Ａを付した受信電界強度範囲）の上限を越え、かつその通信状態がトリガ時間（Time To Trigger）（秒）（図中、記号Ｂを付した期間）続いた場合にイベント報告が行われていた。【００６３】
これに対して、本実施の形態３では、図７（ｂ）に示すように、モニタセルの受信電界強度を測定し、受信電界強度の時間変化量（＝ΔＥｃ／Ｉｏ／Δｔ）が閾値を越えたときにイベント報告を行う。このように、モニタセルの受信電界強度の時間変化量を算出することにより、図７（ｂ）のモニタセルの場合のように急激に受信電界強度が良くなるセルを検出することが可能となる。【００６４】
また、例えば図７（ｂ）に示すように受信電界強度が時間に応じて直線的に変化すると仮定すれば、従来のようにイベント判定のトリガ時間を待たずともその傾きの値（時間変化量）によりイベント判定を行うことが可能となり、従来よりも早いタイミングで無線リンクの追加及び入れ替えのイベント報告を行うことができる。これにより、通信断回数を減少させることが可能となり通信品質の向上が見込まれる。【００６５】
なお、上記実施の形態３では、モニタセルの受信電界強度の時間変化量に基づいてイベント判定する例を示したが、イベント判定には、モニタセルの受信電界強度の時間変化量ではなく、通信中セルの受信電界強度の時間変化量を用いても良い。この場合、通信中セルが急激に劣化することを検出するために用いられ、通信中セルの受信電界強度の時間変化量が閾値以上となったときに無線リンクの追加もしくは無線リンクの入れ替えの報告を行うことになる。【００６６】
以上のように、この実施の形態３によれば、受信電界強度の時間変化量を測定してイベント判定を行うので、受信電界強度が急激に強くなるセル、または急激に劣化するセルの検出タイミングが早くなり、通常のモニタセルを無線リンクに追加する場合より早いタイミングで受信品質が良好なセルを無線リンク対象に追加することができ、安定した通信品質を維持することができる。【００６７】
また、上記実施の形態３において、モニタセル及び／又は通信中セルの受信電界強度の時間変化量を算出して、この算出結果に基づいてイベント判定することで、急激に受信電界強度が良くなるセル及び／又は劣化するセルを検出することができ、従来よりも早いタイミングでモニタセルの無線リンクへの追加及び入れ替えのイベント報告を行うことが可能となる。これにより、通信断回数を減少させることが可能となり通信品質の向上が見込まれる。【００６８】
実施の形態４．
本実施の形態４は、移動体通信端末と基地局との接近速度を測定し、移動体通信端末の移動に伴って近づく基地局に対してはそのセルを無線リンクの追加対象とし、遠ざかる基地局に対してはそのセルを無線リンクの削除対象とするものである。【００６９】
なお、接近速度とは、移動体通信端末の速度をｖとし、移動体通信端末と基地局とが結ぶ直線と移動体通信端末の移動方向とがなす角をθとするとき、｜ｖ｜ｃｏｓθで表される値である。この場合、移動体通信端末が基地局に近づく方向を正に、遠ざかる方向が負となる。【００７０】
本実施の形態４による移動体通信端末の基本的な構成は、上記実施の形態１の図１に示したものと同一であるが、接近速度測定部９及びイベント１ｘ判定部６により受信電界強度の測定に加えて接近速度を用いてセルの受信レベルを予測してイベント判定が行われる点で異なる。接近速度測定部９は、ＧＰＳによる移動体通信端末１の位置情報及び基地局の配置情報を用いて移動体通信端末の基地局方向への移動速度を接近速度として算出しても良い。また、基地局からの下り信号のドップラー周波数推定結果に基づいて移動体通信端末１の基地局方向への移動速度を推定した結果等を接近速度としても良い。【００７１】
なお、説明の簡単のため、図１は本発明における特有な構成を全て記載しているが、従来の移動体通信端末に対して接近速度測定部９及び接近速度を用いてイベント判定するイベント１ｘ判定部６を追加した構成であってもよい。【００７２】
また、基地局方向の移動速度を用いたセルの受信レベル予測の例として、受信電界強度が同じレベルのセルが複数あった場合、接近速度が大きい基地局を優先して無線リンクの追加対象とすることや、接近速度の正負のみで無線リンクの追加削除の判定を行うことや、接近速度に応じてイベント判定のパラメータを変更することなどが考えられる。このように、受信電界強度の測定に加え、移動体通信端末１の基地局への接近速度を用いてセルの受信レベルを予測し、この結果を用いて無線リンクの追加及び削除を行うイベント判定を行うことで通信品質を改善することが可能となる。【００７３】
次に動作について説明する。
図８は、この発明の実施の形態４による移動体通信端末のＤＣＨオープンから通信終了（終話）に至るまでの動作を示すフローチャートである。以降では、図１及び図８を適宜用いて動作を説明する。【００７４】
接近速度測定部９は、ＤＣＨがオープン（ステップＳＴ１ｃ）して通信状態に移行すると、例えば不図示のＧＰＳによって自端末１の位置情報及び基地局の配置情報を取得して自端末１の基地局方向への相対移動速度を接近速度として算出（ステップＳＴ２ｃ）し、イベント１ｘ判定部６に出力する。また、基地局からの下り信号のドップラー周波数推定結果に基づいて自端末１の基地局方向への移動速度を推定し、基地局への接近速度としてもよい。【００７５】
次に、受信電界強度測定部１２は、アンテナ２及び復調部１４を介してモニタセルから受信した信号の受信電界強度を測定（ステップＳＴ３ｃ）し、イベント１ｘ判定部６に出力する。イベント１ｘ判定部６では、接近速度測定部９からの接近速度及び受信電界強度測定部１２からの受信電界強度を入力すると、先ず受信電界強度に基づいてイベント１Ａを判定する（ステップＳＴ４ｃ）。このとき、自端末が設定可能な無線リンク数から無線リンクへの追加が可能であり、かつ、処理対象のモニタセルの受信電界強度がイベント１Ａの発生を報告すべき受信電界強度以上であれば、当該セルを無線リンクの追加対象とする周辺セルサーチ結果である「Measurement Report（イベント１Ａ）」をネットワーク側に送信する（ステップＳＴ６ｃ）。【００７６】
一方、イベント１ｘ判定部６は、ステップＳＴ４ｃにおいてイベント１Ａが発生していないと判定しても、ステップＳＴ５ｃの処理に移行して接近速度に基づいてイベント１Ａの判定を行う。例えば、当該モニタセルの基地局への接近速度が、予め定めた閾値（追加速度閾値）より大きい場合、ステップＳＴ６ｃに移行し、当該セルを無線リンクの追加対象とする「Measurement Report（イベント１Ａ）」をネットワーク側に送信する。【００７７】
また、「Measurement Report（イベント１Ａ）」送信後、又は「Measurement Report（イベント１Ａ）」送信がなかった場合、イベント１ｘ判定部６は、ネットワーク側から指定されたトリガ時間（Time To Trigger）（ミリ秒）の間、イベントの発生条件を満たす受信電界強度のセルがあるか否かによってイベント１Ｂを判定する（ステップＳＴ７ｃ）。このとき、受信電界強度が上記イベント１Ｂの発生条件を満たすセルがあれば、当該セルを無線リンクからの削除対象とする周辺セルサーチ結果である「Measurement Report（イベント１Ｂ）」をネットワーク側に送信する（ステップＳＴ９ｃ）。【００７８】
ステップＳＴ７ｃにおいてイベント１Ｂが発生していないと判定されても、イベント１ｘ判定部６は、ステップＳＴ８ｃの処理に移行して接近速度に基づいてイベント１Ｂの判定を行う。例えば、無線リンクからセルの削除が可能であり、かつ、当該モニタセルの基地局への接近速度が予め定めた閾値（削除速度閾値）未満のセルがある場合、ステップＳＴ９ｃに移行し、当該セルを無線リンクの削除対象とする周辺セルサーチ結果である「Measurement Report（イベント１Ｂ）」をネットワーク側に送信する。【００７９】
「Measurement Report（イベント１Ｂ）」送信後、又は「Measurement Report（イベント１Ｂ）」送信がなかった場合、イベント１ｘ判定部６は、ネットワーク側から指定されたトリガ時間（Time To Trigger）（ミリ秒）の間、イベントの発生条件を満たす受信電界強度のセルがあるか否かによってイベント１Ｃを判定する（ステップＳＴ１０ｃ）。このとき、受信電界強度が上記イベント１Ｃの発生条件を満たすセルがあれば、この条件を満たすセルを無線リンクへの入れ替え対象とする周辺セルサーチ結果である「Measurement Report（イベント１Ｃ）」をネットワーク側に送信する（ステップＳＴ１２ｃ）。【００８０】
一方、ステップＳＴ１０ｃにおいてイベント１Ｃが発生していないと判定されても、イベント１ｘ判定部６は、ステップＳＴ１１ｃの処理に移行して接近速度に基づいてイベント１Ｃの判定を行う。例えば、無線リンク数から無線リンクへの入れ替えが可能であり、かつ、当該モニタセルの基地局に対する自端末１の基地局方向の移動速度である接近速度が、無線リンクとして既存のセルと入れ替えるための予め定めた閾値（入れ替え追加速度閾値）より大きく、かつ、接近速度が予め定めた閾値（入れ替え削除速度閾値）未満になる基地局がある場合、ステップＳＴ１２ｃに移行し、追加対象セルを無線リンクへの入れ替え対象とする周辺セルサーチ結果である「Measurement Report（イベント１Ｃ）」をネットワーク側に送信する。【００８１】
上述した動作はＤＣＨがクローズされるまで行われる（ステップＳＴ１３ｃ）。ＤＣＨがクローズされると通信が終了する。【００８２】
以上のように、この実施の形態４によれば、受信電界強度の測定に加えて、移動体通信端末１が基地局に向けて近づく若しくは遠ざかる速度（接近速度）を用いてセルの受信レベルを予測し、この結果を用いてイベント判定してモニタセルについての無線リンクの追加及び削除を行うので、通信品質が比較的良好なセルでの通信が可能となり、安定した通信状態を維持することができる。【００８３】
実施の形態５．
本実施の形態５は、移動体通信端末が要求した送信電力に追従しない基地局を無線リンクの削除対象とするものである。移動体通信端末１が基地局に送信した下り送信電力制御コマンドの追従性が悪い場合、基地局への上り信号の受信品質も劣化すると考えられる。そこで、本実施の形態５では、受信電界強度の測定に加えて、下り送信電力制御コマンドに追従しない基地局の無線リンクを削除することにより、通信品質の向上を図っている。【００８４】
実施の形態５による移動体通信端末の基本的な構成は、上記実施の形態１の図１に示したものと同一であるが、イベント１ｘ判定部６により自端末１が要求した送信電力に追従するか否かに応じてそのセルを無線リンクからの削除対象とするイベントを判定する点で異なる。なお、説明の簡単のため、図１は本発明における特有な構成を全て記載しているが、本実施の形態５は、従来の移動体通信端末に対して上述のようなイベント判定を行うイベント１ｘ判定部６の機能のみを追加した構成であってもよい。【００８５】
図９は、この発明の実施の形態５による移動体通信端末のＤＣＨオープンから通信終了（終話）に至るまでの動作を示すフローチャートである。以降では、図１及び図９を適宜用いて動作を説明する。
イベント１ｘ判定部６は、ＤＣＨがオープン（ステップＳＴ１ｄ）して通信状態に移行すると、基地局数をｎとし、各基地局にｉ＝１〜ｎをそれぞれ設定して自端末１が要求した送信電力に追従するか否かに応じてそのセルを無線リンクからの削除対象とするイベントを判定する。【００８６】
先ず、イベント１ｘ判定部６は、ｉ＝１に対応する基地局に対し（ステップＳＴ２ｄ）、自端末１がＤＰＣＨ（Dedicated Physical CHannel）を介して当該基地局から受信した信号の受信電力（ＢＴＳ（１）＿下りＤＰＣＨ受信電力）から、この１スロット前に当該基地局ＢＴＳ（１）へ送信した下り送信電力制御コマンドに対応する、下り信号の受信電力（１スロット前のＢＴＳ（１）＿下りＤＰＣＨ受信電力）を減算してその差分であるＢＴＳ（１）＿下りＤＰＣＨ受信スロット電力差分を求める（ステップＳＴ３ｄ）。【００８７】
続いて、イベント１ｘ判定部６は、求めたＢＴＳ（１）＿下りＤＰＣＨ受信スロット電力差分と、当該基地局ＢＴＳ（１）に送信した下り送信電力制御コマンドとを比較する（ステップＳＴ４ｄ）。このとき、当該コマンドによる電力差分に一致していなかった場合、基地局ＢＴＳ（１）についての下りＴＰＣ（Transmit Power Control）追従指数を減少させる（ステップＳＴ５ｄ）。なお、下りＴＰＣ追従指数とは、自端末１が基地局に要求した送信電力に対する追従の度合を示す値であればよい。【００８８】
上記コマンドによる電力差分に一致していた場合、又はＴＰＣ追従指数を減少させた後、イベント１ｘ判定部６は、パラメータｉが無線リンク数ｎであるか否かを判定し（ステップＳＴ６ｄ）、ｎに達していなければｉを加算して（ステップＳＴ７ｄ）、ステップＳＴ３ｄからの処理を繰り返す。【００８９】
このように、本実施の形態５では、無線リンクした各基地局ＢＴＳ（ｉ）（ｉ＝１〜ｎ）について下り個別ＣＨの受信電力におけるスロット間差分と当該基地局ＢＴＳ（ｉ）に送信した下り送信電力制御コマンドとを複数フレーム周期（例えば、復号周期）で比較し、両者が一致しない場合には下りＴＰＣ追従指数を減少させる。【００９０】
パラメータｉが無線リンク数ｎに達すると、受信電界強度測定部１２は、アンテナ２及び復調部１４を介してモニタセルから受信した信号の受信電界強度を測定（ステップＳＴ８ｄ）し、イベント１ｘ判定部６に出力する。イベント１ｘ判定部６では、受信電界強度に基づいてイベント１Ａを判定する（ステップＳＴ９ｄ）。このとき、処理対象のモニタセルの受信電界強度が、イベント報告すべき受信電界強度以上であれば、当該セルを無線リンクの追加対象とする「Measurement Report（イベント１Ａ）」をネットワーク側に送信する（ステップＳＴ１０ｄ）。【００９１】
「Measurement Report（イベント１Ａ）」送信後、又は「Measurement Report（イベント１Ａ）」送信がなかった場合、イベント１ｘ判定部６は、ネットワーク側から指定されたトリガ時間（Time To Trigger）（ミリ秒）の間、イベントの発生条件を満たす受信電界強度のセルがあるか否かによってイベント１Ｂを判定する（ステップＳＴ１１ｄ）。このとき、受信電界強度が上記イベント１Ｂの発生条件を満たすセルがあれば、当該セルを無線リンクからの削除対象とする周辺セルサーチ結果である「Measurement Report（イベント１Ｂ）」をネットワーク側に送信する（ステップＳＴ１３ｄ）。【００９２】
一方、イベント１ｘ判定部６は、ステップＳＴ１１ｄにおいてイベント１Ｂが発生していないと判定しても、ステップＳＴ１２ｄの処理に移行して、下りＴＰＣ追従指数に基づいてイベント１Ｂの判定を行う。例えば、無線リンクからセルの削除が可能であり、かつ、処理対象のモニタセルの基地局の下りＴＰＣ追従指数が予め定めた閾値以下である場合、ステップＳＴ１３ｄに移行して、当該セルを無線リンクからの削除対象とする周辺セルサーチ結果である「Measurement Report（イベント１Ｂ）」をネットワーク側に送信する。【００９３】
また、「Measurement Report（イベント１Ｂ）」送信後、又は「Measurement Report（イベント１Ｂ）」送信がなかった場合、イベント１ｘ判定部６は、上記と同様に、ネットワーク側から指定されたトリガ時間（Time To Trigger）（ミリ秒）の間、イベントの発生条件を満たす受信電界強度のセルがあるか否かによってイベント１Ｃを判定する（ステップＳＴ１４ｄ）。このとき、受信電界強度が上記条件を満たすセルがあれば、当該セルを無線リンクの入れ替え対象とする周辺セルサーチ結果である「Measurement Report（イベント１Ｃ）」をネットワーク側に送信する（ステップＳＴ１６ｄ）。【００９４】
一方、イベント１ｘ判定部６は、イベント１Ｃが発生していないと判定しても、ステップＳＴ１５ｄの処理に移行して、下りＴＰＣ追従指数に基づいてイベント１Ｃの判定を行う。例えば、所定の無線リンク数に基づいて無線リンクの入れ替えが可能であり、かつ、下りＴＰＣ追従指数が予め定めた閾値以下であるセルが存在する場合、ステップＳＴ１６ｄに移行して、下りＴＰＣ追従指数が予め定めた閾値以下であるセルの代わりに、受信電界強度が上記条件を満たさなかったセルを無線リンクの入れ替え対象とする周辺セルサーチ結果である「Measurement Report（イベント１Ｃ）」をネットワーク側に送信する。【００９５】
上述したステップＳＴ２ｄからステップＳＴ１６ｄまでの処理は、ＤＣＨがクローズされるまで行われる（ステップＳＴ１７ｄ）。ＤＣＨがクローズされると通信が終了する。このように、受信電界強度によるイベント判定でイベント１Ｂ及びイベント１Ｃが発生しない場合においても、下りＴＰＣ追従指数が閾値を下回っていた場合には、その基地局がＴＰＣコマンドに追従しないと判定し、無線リンクからの削除の対象とすることにより、イベント１Ｂ及びイベント１Ｃを発生させる。【００９６】
以上のように、この実施の形態５によれば、移動体通信端末１が基地局に送信した下り送信電力制御コマンドの追従性により基地局への上り信号の受信状態を推定するので、追従性が良くなく受信品質が良くないと考えられる基地局のモニタセルを無線リンクから削除することができ、通信品質を向上させることができる。【００９７】
実施の形態６．
本実施の形態６は、移動体通信端末が要求したＦＢＩ（FeedBack Information）に対して追従しない基地局を無線リンクからの削除対象とするものである。移動体通信端末１が基地局に送信したＦＢＩへの追従性が良くない場合、この基地局への上り信号の受信品質も良くないと推定することができる。そこで、本実施の形態６では、受信電界強度の測定に加えて、ＦＢＩに追従しない基地局の無線リンクを削除することで、通信品質の向上を図っている。【００９８】
実施の形態６による移動体通信端末の基本的な構成は、上記実施の形態１の図１に示したものと同一であるが、イベント１ｘ判定部６により自端末１が要求したＦＢＩに追従するか否かに応じてそのセルを無線リンクからの削除対象とするイベントを判定する点で異なる。なお、説明の簡単のため、図１は本発明における特有な構成を全て記載しているが、本実施の形態６は、従来の移動体通信端末に対して上述のようなイベント判定を行うイベント１ｘ判定部６の機能のみを追加した構成であってもよい。【００９９】
図１０は、この発明の実施の形態６による移動体通信端末のＤＣＨオープンから通信終了（終話）に至るまでの動作を示すフローチャートである。以降では、図１及び図１０を適宜用いて動作を説明する。なお、以降の説明において、基地局は、下り送信ダイバーシチ用の２つのアンテナＡ，Ｂを有し、アンテナＡ，Ｂから送出するそれぞれの信号が、移動体通信端末１側にて合成後の受信電力が大きくなるように、移動体通信端末１内にてアンテナＢの共通チャネルと個別チャネルの位相角を推定し、その結果として移動体通信端末１より通知されるＦＢＩに従い、アンテナＢの共通チャネルに対する個別チャネルの位相角を制御するTxDiv Closed Loop Mode1を適用しているものとする。【０１００】
イベント１ｘ判定部６は、ＤＣＨがオープン（ステップＳＴ１ｅ）して通信状態に移行すると、無線リンクしている基地局数をｎとし、各基地局にｉ＝１〜ｎをそれぞれ設定して自端末１が要求したＦＢＩに追従するか否かに応じてそのセルを無線リンクからの削除対象とするイベントを判定する。【０１０１】
ここで、イベント１ｘ判定部６は、ｉ＝１に対応する通信中の基地局ＢＴＳ（１）に対し（ステップＳＴ２ｅ）、基地局ＢＴＳ（１）のアンテナＢの共通チャネルとアンテナＢの下り個別チャネルの位相角（位相差θ）と、アンテナＢの共通チャネルと個別チャネルの位相角を基地局ＢＴＳ（１）に指示するコマンド（ＦＢＩ）とを複数フレーム周期で比較する（ステップＳＴ３ｅ）。このとき、当該コマンドによる位相角に一致しない場合、基地局ＢＴＳ（１）についてのＦＢＩ追従指数を減少させる（ステップＳＴ４ｅ）。なお、ＦＢＩ追従指数とは、自端末１が基地局に要求したＦＢＩに対する追従の度合を示す値であればよい。【０１０２】
上記コマンドによる位相角に一致していた場合、又はＦＢＩ追従指数を減少させた後、イベント１ｘ判定部６は、パラメータｉが無線リンク数ｎであるか否かを判定し（ステップＳＴ５ｅ）、ｎに達していなければｉを加算して（ステップＳＴ６ｅ）、ステップＳＴ３ｅからの処理を繰り返す。
このように、本実施の形態６では、各基地局ＢＴＳ（ｉ）（ｉ＝１〜ｎ）についてのＦＢＩコマンドと、アンテナＢの共通チャネルとアンテナＢの下り個別チャネルの位相角とを複数フレーム周期（例えば、復号周期）で比較し、両者が一致しない場合にはＦＢＩ追従指数を減少させる。【０１０３】
パラメータｉが無線リンク数ｎに達すると、受信電界強度測定部１２は、アンテナ２及び復調部１４を介してモニタセルから受信した信号の受信電界強度を測定（ステップＳＴ７ｅ）し、イベント１ｘ判定部６に出力する。イベント１ｘ判定部６では、受信電界強度に基づいてイベント１Ａを判定する（ステップＳＴ８ｅ）。このとき、処理対象のモニタセルの受信電界強度が、イベント報告すべき受信電界強度以上であれば、当該セルを無線リンクの追加対象とする「Measurement Report（イベント１Ａ）」をネットワーク側に送信する（ステップＳＴ９ｅ）。【０１０４】
「Measurement Report（イベント１Ａ）」送信後、又は「Measurement Report（イベント１Ａ）」送信がなかった場合、イベント１ｘ判定部６は、ネットワーク側から指定されたトリガ時間（Time To Trigger）（ミリ秒）の間、イベントの発生条件を満たす受信電界強度のセルがあるか否かによってイベント１Ｂを判定する（ステップＳＴ１０ｅ）。このとき、受信電界強度が上記条件を満たすセルがあれば、当該セルを無線リンクからの削除対象とする周辺セルサーチ結果である「Measurement Report（イベント１Ｂ）」をネットワーク側に送信する（ステップＳＴ１２ｅ）。【０１０５】
一方、イベント１ｘ判定部６は、ステップＳＴ１０ｅにおいてイベント１Ｂが発生していないと判定しても、ステップＳＴ１１ｅの処理に移行してＦＢＩ追従指数に基づいてイベント１Ｂの判定を行う。例えば、無線リンクからセルの削除が可能であり、かつ、処理対象のモニタセルの基地局のＦＢＩ追従指数が予め定めた閾値以下である場合、ステップＳＴ１２ｅに移行して、当該セルを無線リンクからの削除対象とする「Measurement Report（イベント１Ｂ）」をネットワーク側に送信する。【０１０６】
また、「Measurement Report（イベント１Ｂ）」送信後、又は「Measurement Report（イベント１Ｂ）」送信がなかった場合、イベント１ｘ判定部６は、上記と同様に、ネットワーク側から指定されたトリガ時間（Time To Trigger）（ミリ秒）の間、イベントの発生条件を満たす受信電界強度のセルがあるか否かによってイベント１Ｃを判定する（ステップＳＴ１３ｅ）。このとき、受信電界強度が上記条件を満たすセルがあれば、当該セルを無線リンクの入れ替え対象とする「Measurement Report（イベント１Ｃ）」をネットワーク側に送信する（ステップＳＴ１５ｅ）。【０１０７】
一方、イベント１ｘ判定部６は、ステップＳＴ１３ｅにおいてイベント１Ｃが発生していないと判定しても、ステップＳＴ１４ｅの処理に移行してＦＢＩ追従指数に基づいてイベント１Ｃの判定を行う。例えば、所定の無線リンク数に基づいて無線リンクの入れ替えが可能であり、かつ、ＦＢＩ追従指数が予め定めた閾値以下であるセルが存在する場合、ステップＳＴ１５ｅに移行して、ＦＢＩ追従指数が予め定めた閾値以下であるセルの代わりに、受信電界強度が上記条件を満たさなかったセルを無線リンクの入れ替え対象とする周辺セルサーチ結果である「Measurement Report（イベント１Ｃ）」をネットワーク側に送信する。【０１０８】
上述したステップＳＴ２ｅからステップＳＴ１５ｅまでの処理は、ＤＣＨがクローズされるまで行われる（ステップＳＴ１６ｅ）。ＤＣＨがクローズされると通信が終了する。このように、受信電界強度によるイベント判定でイベント１Ｂ及びイベント１Ｃが発生しない場合においても、ＦＢＩ追従指数が閾値を下回っていた場合には、その基地局がＦＢＩコマンドに追従しないと判定し、無線リンクからの削除対象とすることにより、イベント１Ｂ及びイベント１Ｃを発生させる。【０１０９】
以上のように、この実施の形態６によれば、移動体通信端末１が基地局に送信したＦＢＩへの追従性により、基地局の上り信号の受信状態を推定するので、追従性が良くなく受信品質が良くないと考えられる基地局のモニタセルを無線リンクから削除することができ、通信品質を向上させることができる。【０１１０】
実施の形態７．
本実施の形態７は、基地局から上り送信電力制御コマンドによって移動体通信端末に対して要求される上り送信電力が大きい基地局を無線リンクからの削除対象とするものである。このように、上り送信電力制御コマンドにて要求される上り送信電力の大きい基地局のＲＬを削除することで、移動体通信端末と基地局との間における余分な無線リソースを開放することが可能となる。【０１１１】
実施の形態７による移動体通信端末の基本的な構成は、上記実施の形態１の図１に示したものと同一であるが、イベント１ｘ判定部６及び上り送信電力コマンド判定部１３によって、基地局から送信された上り送信電力制御コマンドで自端末１に要求された送信電力の大きさに応じてそのセルを無線リンクからの削除対象とするイベントを判定する点で異なる。なお、説明の簡単のために、図１は本発明における特有な構成を全て記載しているが、本実施の形態７は、従来の移動体通信端末に対して上述のような上り送信電力コマンド判定部１３及びイベント１ｘ判定部６のみを追加した構成であってもよい。【０１１２】
図１１は、この発明の実施の形態７による移動体通信端末のＤＣＨオープンから通信終了（終話）に至るまでの動作を示すフローチャートである。以降では、図１及び図１１を適宜用いて動作を説明する。
上り送信電力コマンド判定部１３は、ＤＣＨがオープンして通信状態に移行すると（ステップＳＴ１ｆ）、現在無線リンクしている基地局数をｎとし、各基地局にｉ＝１〜ｎをそれぞれ設定して自端末１が上り送信電力制御コマンドにより要求された送信電力の大きさに応じてそのセルを無線リンクからの削除対象とするイベントを判定する。【０１１３】
ここで、上り送信電力コマンド判定部１３は、ｉ＝１に対応する通信中の基地局ＢＴＳ（１）に対し（ステップＳＴ２ｆ）、基地局ＢＴＳ（１）から受信した上り送信電力制御コマンドが上り信号の送信電力のアップを要求しているかダウンを要求しているかを判定する（ステップＳＴ３ｆ）。このとき、上り信号の送信電力のダウンを要求している場合、基地局ＢＴＳ（１）についての上り送信電力制御コマンド累積値（上り送信電力制御コマンドにより要求された送信電力）を減少させる（ステップＳＴ４ｆ）。【０１１４】
また、上り信号の送信電力のアップを要求している場合、基地局ＢＴＳ（１）についての上り送信電力制御コマンド累積値（上り送信電力制御コマンドにより要求された送信電力）を増加させる（ステップＳＴ５ｆ）。【０１１５】
上り送信電力制御コマンド累積値を増加又は減少させた後、上り送信電力コマンド判定部１３は、パラメータｉが無線リンク数ｎであるか否かを判定し（ステップＳＴ６ｆ）、ｎに達していなければｉを加算して（ステップＳＴ７ｆ）、ステップＳＴ３ｆからの処理を繰り返す。上り送信電力制御コマンド累積値は、上り送信電力コマンド判定部１３からイベント１ｘ判定部６に出力される。【０１１６】
このように、本実施の形態７では、無線リンクした各基地局ＢＴＳ（ｉ）（ｉ＝１〜ｎ）についての上り送信電力制御コマンドが上り信号の送信電力のアップを要求しているかダウンを要求しているかを複数フレーム周期（例えば、復号周期）で判定し、上り送信電力制御コマンドの要求に応じてその累積値を加減する。【０１１７】
パラメータｉが無線リンク数ｎに達すると、受信電界強度測定部１２は、アンテナ２及び復調部１４を介してモニタセルから受信した下り信号の受信電界強度を測定し、イベント１ｘ判定部６に出力する（ステップＳＴ８ｆ）。イベント１ｘ判定部６では、受信電界強度に基づいてイベント１Ａを判定する（ステップＳＴ９ｆ）。このとき、処理対象のモニタセルの受信電界強度が、イベント報告すべき受信電界強度以上であれば、当該セルを無線リンクの追加対象とする「Measurement Report（イベント１Ａ）」をネットワーク側に送信する（ステップＳＴ１０ｆ）。【０１１８】
「Measurement Report（イベント１Ａ）」送信後、又は「Measurement Report（イベント１Ａ）」送信がなかった場合、イベント１ｘ判定部６は、ネットワーク側から指定されたトリガ時間（Time To Trigger）（ミリ秒）の間、イベントの発生条件を満たす受信電界強度のセルがあるか否かによってイベント１Ｂを判定する（ステップＳＴ１１ｆ）。このとき、受信電界強度が上記条件を満たすセルがあれば、当該セルを無線リンクからの削除対象とする「Measurement Report（イベント１Ｂ）」をネットワーク側に送信する（ステップＳＴ１３ｆ）。【０１１９】
一方、イベント１ｘ判定部６は、ステップＳＴ１１ｆにおいてイベント１Ｂが発生していないと判定しても、ステップＳＴ１２ｆの処理に移行して当該セルの基地局についての上り送信電力制御コマンド累積値に基づいてイベント１Ｂの判定を行う。例えば、無線リンクからセルの削除が可能であり、かつ、処理対象のモニタセルの基地局の上り送信電力制御コマンド累積値が予め定めた閾値以上である場合、ステップＳＴ１３ｆに移行して、当該セルを無線リンクからの削除対象とする「Measurement Report（イベント１Ｂ）」をネットワーク側に送信する。【０１２０】
また、「Measurement Report（イベント１Ｂ）」送信後、又は「Measurement Report（イベント１Ｂ）」送信がなかった場合、イベント１ｘ判定部６は、上記と同様に、ネットワーク側から指定されたトリガ時間（Time To Trigger）（ミリ秒）の間、イベントの発生条件を満たす受信電界強度のセルがあるか否かによってイベント１Ｃを判定する（ステップＳＴ１３ｅ）。このとき、受信電界強度が上記条件を満たすセルがあれば、当該セルを無線リンクの入れ替え対象とする周辺セルサーチ結果である「Measurement Report（イベント１Ｃ）」をネットワーク側に送信する（ステップＳＴ１６ｆ）。【０１２１】
一方、イベント１ｘ判定部６は、ステップＳＴ１４ｆにおいてイベント１Ｃが発生していないと判定しても、ステップＳＴ１５ｆの処理に移行して当該セルの基地局についての上り送信電力制御コマンド累積値に基づいてイベント１Ｃの判定を行う。例えば、所定の無線リンク数に基づいて無線リンクの入れ替えが可能であり、かつ、上り送信電力制御コマンド累積値が予め定めた閾値以上であるセルが存在する場合、ステップＳＴ１６ｆに移行して、上り送信電力制御コマンド累積値が予め定めた閾値以上であるセルの代わりに、受信電界強度が上記条件を満たさなかったセルを無線リンクの入れ替え対象とする周辺セルサーチ結果である「Measurement Report（イベント１Ｃ）」をネットワーク側に送信する。【０１２２】
上述したステップＳＴ２ｆからステップＳＴ１６ｆまでの処理は、ＤＣＨがクローズされるまで行われる（ステップＳＴ１７ｆ）。ＤＣＨがクローズされると通信が終了する。このように、本実施の形態７では、基地局毎の上り送信電力制御コマンドを、複数フレーム周期（例えば、復号周期）で累積し、受信電界強度によるイベント判定でイベント１Ｂ及びイベント１Ｃが発生しない場合においても、上り送信電力制御コマンドの累積値（上り信号の要求電力）の多い基地局を無線リンクの削除対象とすることにより、イベント１Ｂ及びイベント１Ｃを発生させる。【０１２３】
以上のように、この実施の形態７によれば、上り送信電力制御コマンドにて要求される上り送信電力の大きい基地局の無線リンクを削除するので、移動体通信端末１と基地局との間における余分な無線リソースを開放することができる。【０１２４】
実施の形態８．
本実施の形態８は、周波数偏差の小さい基地局を無線リンクの追加対象とし、周波数偏差の大きい基地局を無線リンクの削除対象とするものである。このように、受信電界強度の測定に加えて周波数偏差を考慮に入れてイベント判定し、無線リンクの追加及び削除を行うことで通信品質を改善することが可能となる。【０１２５】
実施の形態８による移動体通信端末の基本的な構成は、上記実施の形態１の図１に示したものと同一であるが、イベント１ｘ判定部６及び周波数偏差測定部１０によって、周波数偏差の小さい基地局を無線リンクの追加対象とし、周波数偏差の大きい基地局を無線リンクの削除対象とするイベントを判定する点で異なる。なお、説明の簡単のため、図１は本発明における特有な構成を全て記載しているが、本実施の形態８は、従来の移動体通信端末に対して上述のようなイベント判定を行うイベント１ｘ判定部６及び周波数偏差測定部１０のみを追加した構成であってもよい。【０１２６】
図１２は、この発明の実施の形態８による移動体通信端末のＤＣＨオープンから通信終了（終話）に至るまでの動作を示すフローチャートである。以降では、図１及び図１２を適宜用いて動作を説明する。
周波数偏差測定部１０は、ＤＣＨがオープンして通信状態に移行すると（ステップＳＴ１ｇ）、モニタセルからの下り信号についてＡＦＣ等の影響を含めた自端末１のアンテナ２端での周波数偏差を測定して、イベント１ｘ判定部６に出力する（ステップＳＴ２ｇ）。移動体通信端末１の復調部１４が待ち受けている周波数ｆは、キャリアの絶対周波数ｆ０に対して、温度補償型水晶発振器（ＴｃＸｏ）の温度偏差やＡＦＣ(Automatic Frequency Control：自動周波数制御)の引き込み誤差が含まれたものとなっている。そこで、基地局からの下り信号の周波数をｆｆとすると、上記温度偏差やＡＦＣの引き込み誤差による周波数偏差は（ｆｆ−ｆ）で表せる。【０１２７】
次に、受信電界強度測定部１２は、アンテナ２及び復調部１４を介して当該モニタセルから受信した下り信号の受信電界強度を測定（ステップＳＴ３ｇ）し、イベント１ｘ判定部６に出力する。イベント１ｘ判定部６では、受信電界強度に基づいてイベント１Ａを判定する（ステップＳＴ４ｇ）。このとき、処理対象のモニタセルの受信電界強度が、イベント報告すべき受信電界強度以上であれば、当該セルを無線リンクの追加対象とする周辺セルサーチ結果である「Measurement Report（イベント１Ａ）」をネットワーク側に送信する（ステップＳＴ６ｇ）。【０１２８】
一方、イベント１ｘ判定部６は、ステップＳＴ４ｇにおいてイベント１Ａが発生していないと判定しても、ステップＳＴ５ｇの処理に移行して当該セルの基地局からの下り信号における周波数偏差に基づいてイベント１Ａの判定を行う。例えば、無線リンクに追加が可能であり、かつ、追加対象のモニタセルの基地局ＢＴＳの周波数偏差が予め定めた追加周波数偏差閾値未満である場合、ステップＳＴ６ｇに移行して当該セルを無線リンクの追加対象とする「Measurement Report（イベント１Ａ）」をネットワーク側に送信する。【０１２９】
また、イベント１ｘ判定部６は、「Measurement Report（イベント１Ａ）」送信後、又は「Measurement Report（イベント１Ａ）」送信がなかった場合、ネットワーク側から指定されたトリガ時間（Time To Trigger）（ミリ秒）の間、イベントの発生条件を満たす受信電界強度のセルがあるか否かによってイベント１Ｂを判定する（ステップＳＴ７ｇ）。このとき、受信電界強度が上記条件を満たすセルがあれば、当該セルを無線リンクからの削除対象とする周辺セルサーチ結果である「Measurement Report（イベント１Ｂ）」をネットワーク側に送信する（ステップＳＴ９ｇ）。【０１３０】
一方、イベント１ｘ判定部６は、ステップＳＴ７ｇにおいてイベント１Ｂが発生していないと判定しても、ステップＳＴ８ｇの処理に移行して当該セルの基地局からの下り信号における周波数偏差に基づいてイベント１Ｂの判定を行う。例えば、無線リンクからセルの削除が可能であり、かつ、処理対象のモニタセルの基地局からの下り信号における周波数偏差が予め定めた削除対象周波数偏差閾値以上である場合、ステップＳＴ９ｇに移行して、当該セルを無線リンクからの削除対象とする「Measurement Report（イベント１Ｂ）」をネットワーク側に送信する。【０１３１】
また、「Measurement Report（イベント１Ｂ）」送信後、又は「Measurement Report（イベント１Ｂ）」送信がなかった場合、イベント１ｘ判定部６は、上記と同様に、ネットワーク側から指定されたトリガ時間（Time To Trigger）（ミリ秒）の間、イベントの発生条件を満たす受信電界強度のセルがあるか否かによってイベント１Ｃを判定する（ステップＳＴ１０ｇ）。このとき、受信電界強度が上記条件を満たすセルがあれば、当該セルを無線リンクの入れ替え対象とする周辺セルサーチ結果である「Measurement Report（イベント１Ｃ）」をネットワーク側に送信する（ステップＳＴ１２ｇ）。【０１３２】
一方、イベント１ｘ判定部６は、ステップＳＴ１０ｇにおいてイベント１Ｃが発生していないと判定しても、ステップＳＴ１１ｇの処理に移行して当該セルの基地局からの下り信号における周波数偏差に基づいてイベント１Ｃの判定を行う。例えば、当該セルからの下り信号における周波数偏差が予め定めた入れ替え追加周波数偏差閾値未満であり、かつ、無線リンクしている基地局の中に予め定めた入れ替え削除周波数偏差閾値より大きい周波数偏差の基地局がある場合、ステップＳＴ１２ｇに移行して、削除対象セルの代わりに、入れ替え追加対象のセルを無線リンクに入れ替える「Measurement Report（イベント１Ｃ）」をネットワーク側に送信する。【０１３３】
上述したステップＳＴ２ｇからステップＳＴ１２ｇまでの処理は、ＤＣＨがクローズされるまで行われる（ステップＳＴ１３ｇ）。ＤＣＨがクローズされると通信が終了する。このように、イベント１Ｂが発生しなかった場合でも削除基地局と移動体通信端末１の周波数偏差が削除周波数偏差閾値以上になっていた場合にはイベント１Ｂ報告を行う。同様に、イベント１Ｃが発生しなかった場合でも追加基地局と移動体通信端末１の周波数偏差が入れ替え追加周波数偏差閾値以下であり、かつ、削除基地局と移動体通信端末１の周波数偏差が入れ替え削除周波数偏差閾値以上になっていた場合にはイベント１Ｃの報告を行う。【０１３４】
以上のように、この実施の形態８によれば、受信電界強度の測定に加えて、周波数偏差を考慮に入れたイベント判定を行ってモニタセルの追加及び削除を行うので、通信品質を改善することが可能となる。【０１３５】
なお、本実施の形態８における概念はＦＡＣＨ状態においてセルリセレクションの判定に適用することも可能である。つまり、セルリセレクション判定部８が、モニタセルの基地局からの下り信号における周波数偏差に応じてセルリセレクション判定する。これにより、発信率の向上が見込まれる。【０１３６】
実施の形態９．
本実施の形態９は、ドップラーシフトの小さい基地局を無線リンクの追加対象とし、ドップラーシフトの大きい基地局を無線リンクの削除対象とするものである。移動体通信端末が下り受信信号で観測するドップラーシフトは、基地局で受信する上り信号に対しても同等に加わる。このため、本実施の形態９のように、ドップラーシフトの少ない基地局のセルを無線リンクの追加対象とし、ドップラーシフトの大きな基地局のセルを無線リンクの削除対象とすることにより、上り信号の受信品質の良い基地局を選択することができる。【０１３７】
ドップラーシフトは、キャリアの絶対周波数をｆ０とし、基地局からの下り信号の周波数をｆｆとすると、（ｆｆ−ｆ０）と表すことができる。なお、ドップラーシフトの測定は、基地局毎の下り受信信号を用いて行う。【０１３８】
実施の形態９による移動体通信端末の基本的な構成は、上記実施の形態１の図１に示したものと同一であるが、イベント１ｘ判定部６及びドップラーシフト測定部１１によって、ドップラーシフト量の小さい基地局を無線リンクの追加対象とし、ドップラーシフト量の大きい基地局を無線リンクの削除対象とするイベントを判定する点で異なる。なお、説明の簡単のために、図１は本発明における特有な構成を全て記載しているが、本実施の形態９は、従来の移動体通信端末に対して上述のようなイベント判定を行うイベント１ｘ判定部６及びドップラーシフト測定部１１のみを追加した構成であってもよい。【０１３９】
図１３は、この発明の実施の形態９による移動体通信端末のＤＣＨオープンから通信終了に至るまでの動作を示すフローチャートである。以降では、図１及び図１３を適宜用いて動作を説明する。ドップラーシフト測定部１１は、ＤＣＨがオープン（ステップＳＴ１ｈ）して通信状態に移行すると、各基地局からの下り信号についてドップラーシフトを測定（ステップＳＴ２ｈ）して、イベント１ｘ判定部６に出力する。【０１４０】
次に、受信電界強度測定部１２は、アンテナ２及び復調部１４を介して当該モニタセルから受信した下り信号の受信電界強度を測定し、イベント１ｘ判定部６に出力する（ステップＳＴ３ｈ）。イベント１ｘ判定部６では、受信電界強度に基づいてイベント１Ａを判定する（ステップＳＴ４ｈ）。このとき、処理対象のモニタセルの受信電界強度が、イベント報告すべき受信電界強度以上であれば、当該セルを無線リンクの追加対象とする周辺セルサーチ結果である「Measurement Report（イベント１Ａ）」をネットワーク側に送信する（ステップＳＴ６ｈ）。【０１４１】
一方、イベント１ｘ判定部６は、ステップＳＴ４ｈにおいてイベント１Ａが発生していないと判定しても、ステップＳＴ５ｈの処理に移行して当該セルの基地局におけるドップラーシフトに基づいてイベント１Ａの判定を行う。例えば、無線リンクにセルの追加が可能であり、かつ、追加対象のモニタセルの基地局ＢＴＳのドップラーシフトが予め定めた追加ドップラーシフト閾値未満である場合、ステップＳＴ６ｈに移行して、当該セルを無線リンクの追加対象とする「Measurement Report（イベント１Ａ）」をネットワーク側に送信する。【０１４２】
また、イベント１ｘ判定部６は、「Measurement Report（イベント１Ａ）」送信後、又は「Measurement Report（イベント１Ａ）」送信がなかった場合、ネットワーク側から指定されたトリガ時間（Time To Trigger）（ミリ秒）の間、イベントの発生条件を満たす受信電界強度のセルがあるか否かによってイベント１Ｂを判定する（ステップＳＴ７ｈ）。このとき、受信電界強度が上記条件を満たすセルがあれば、当該セルを無線リンクからの削除対象とする「Measurement Report（イベント１Ｂ）」をネットワーク側に送信する（ステップＳＴ９ｈ）。【０１４３】
一方、イベント１ｘ判定部６は、ステップＳＴ７ｈにおいてイベント１Ｂが発生していないと判定しても、ステップＳＴ８ｈの処理に移行して当該セルの基地局ＢＴＳのドップラーシフトに基づいてイベント１Ｂの判定を行う。例えば、無線リンクからセルの削除が可能であり、かつ、処理対象のモニタセルの基地局ＢＴＳのドップラーシフトが予め定めた削除ドップラーシフト閾値より大きい場合、ステップＳＴ９ｈに移行して、当該セルを無線リンクからの削除対象とする「Measurement Report（イベント１Ｂ）」をネットワーク側に送信する。【０１４４】
また、「Measurement Report（イベント１Ｂ）」送信後、又は「Measurement Report（イベント１Ｂ）」送信がなかった場合、イベント１ｘ判定部６は、上記と同様に、ネットワーク側から指定されたトリガ時間（Time To Trigger）（ミリ秒）の間、イベントの発生条件を満たす受信電界強度のセルがあるか否かによってイベント１Ｃを判定する（ステップＳＴ１０ｈ）。このとき、受信電界強度が上記条件を満たすセルがあれば、当該セルを無線リンクの入れ替え対象とする「Measurement Report（イベント１Ｃ）」をネットワーク側に送信する（ステップＳＴ１２ｈ）。【０１４５】
一方、イベント１ｘ判定部６は、ステップＳＴ１０ｈにおいてイベント１Ｃが発生していないと判定しても、ステップＳＴ１１ｈの処理に移行して当該セルの基地局ＢＴＳのドップラーシフトに基づいてイベント１Ｃの判定を行う。例えば、当該セルの基地局ＢＴＳのドップラーシフトが予め定めた入れ替え追加ドップラーシフト閾値未満であり、かつ、無線リンクしている基地局の中に予め定めた入れ替え削除ドップラーシフト閾値より大きいドップラーシフトの基地局がある場合、ステップＳＴ１２ｈに移行して、削除対象セルの代わりに、入れ替え追加対象のセルを無線リンクに入れ替える周辺セルサーチ結果である「Measurement Report（イベント１Ｃ）」をネットワーク側に送信する。【０１４６】
上述したステップＳＴ２ｈからステップＳＴ１２ｈまでの処理は、ＤＣＨがクローズされるまで行われる（ステップＳＴ１３ｈ）。ＤＣＨがクローズされると通信が終了する。このように、イベント１Ｂが発生しなかった場合でも削除対象の基地局と移動体通信端末１のドップラーシフトが削除ドップラーシフト閾値以上になっていた場合にはイベント１Ｂ報告を行う。同様に、イベント１Ｃが発生しなかった場合でも、追加対象の基地局と移動体通信端末１のドップラーシフトが入れ替え追加ドップラーシフト閾値以下であり、かつ、削除対象の基地局と移動体通信端末１のドップラーシフトが入れ替え削除ドップラーシフト閾値以上になっていた場合にはイベント１Ｃの報告を行う。【０１４７】
以上のように、この実施の形態９によれば、受信電界強度の測定に加えて、ドップラーシフト量を用いたイベント判定によりモニタセルを無線リンクに追加及び削除するので、通信品質を改善することが可能となる。【０１４８】
なお、本実施の形態９における概念はＦＡＣＨ状態においてセルリセレクションの判定に適用することも可能である。つまり、セルリセレクション判定部８が、モニタセルの基地局と自端末１とのドップラーシフトに応じてセルリセレクション判定する。これにより、発信率の向上が見込まれる。【０１４９】
また、図１の構成において、イベント１ｘ判定部６は、上記実施の形態１、上記実施の形態３から上記実施の形態９までに示した、ＤＣＨオープン直後の受信電界強度の瞬時値、受信電界強度の時間変化量、下り送信電力の制御コマンドに対する追従性、上り送信電力の制御コマンドに対する追従性、ＦＢＩに対する追従性、周波数偏差、ドップラーシフト量のいずれかを組み合わせた条件によりイベント判定を行うようにしてもよい。同様に、セルリセレクション判定部８も、ＦＡＣＨオープン直後の受信電界強度の瞬時値、周波数偏差、ドップラーシフト量のいずれかを組み合わせた条件によりセルリセレクション判定を行うようにしてもよい。
【産業上の利用可能性】
【０１５０】
以上のように、この発明に係る移動体通信端末は、高速移動時においてもセルリセレクション及びハンドオーバを適切なタイミングで実施できることから、ユーザに携帯されて移動する移動体通信端末に適している。
【図１】
0004685930.tif 000002
【図２】
0004685930.tif 000003
【図３】
0004685930.tif 000004
【図４】
0004685930.tif 000005
【図５】
0004685930.tif 000006
【図６】
0004685930.tif 000007
【図７】
0004685930.tif 000008
【図８】
0004685930.tif 000009
【図９】
0004685930.tif 000010
【図１０】
0004685930.tif 000011
【図１１】
0004685930.tif 000012
【図１２】
0004685930.tif 000013
【図１３】
0004685930.tif 000014
【図１４】
0004685930.tif 000015
【図１５】
0004685930.tif 000016